【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
ディスプレイシステムであって、
眼追跡カメラと、
複数のディスプレイ色層を備えるウェアラブルディスプレイであって、前記複数のディスプレイ色層の各ディスプレイ色層は、異なる色を出力するように構成される、ウェアラブルディスプレイと、
前記ディスプレイのために、複数の色彩較正を記憶するように構成される、非一過性データ記憶装置であって、前記複数の色彩較正における各色彩較正は、前記ディスプレイに対する較正位置と関連付けられ、前記複数の色彩較正における各色彩較正は、前記複数のディスプレイ色層のうちの２つまたはそれを上回るディスプレイ色層間の色彩不整合を含む前記ディスプレイの色彩不完全度を補正する、非一過性データ記憶装置と、
前記眼追跡カメラ、前記ディスプレイ、および前記非一過性データ記憶装置と通信する、ハードウェアプロセッサであって、前記ハードウェアプロセッサは、
前記眼追跡カメラからの情報に基づいて、前記ディスプレイのユーザの前記ディスプレイに対する眼位置を判定することと、
少なくとも部分的に、前記判定された眼位置に基づいて、前記複数の色彩較正のうちの１つまたはそれを上回るものにアクセスすることと、
少なくとも部分的に、前記複数の色彩較正のうちの前記１つまたはそれを上回るものに基づいて、少なくとも部分的に、前記ディスプレイ内の前記色彩不完全度を補正するために前記ディスプレイの前記２つまたはそれを上回るディスプレイ色層のうちの少なくとも１つに適用するための補正を計算することと、
前記補正を前記ディスプレイの前記２つまたはそれを上回るディスプレイ色層のうちの前記少なくとも１つに適用することと
を行うようにプログラムされる、ハードウェアプロセッサと
を備える、ディスプレイシステム。
【請求項２】
較正位置の数は、２、３、４、５、６、７、８、９、またはそれを上回る、請求項１に記載のディスプレイシステム。
【請求項３】
前記較正位置は、グリッド内で前記ディスプレイにわたって分散される、請求項１に記載のディスプレイシステム。
【請求項４】
前記グリッドは、２×２、３×３、５×５、または９×９グリッドを備える、請求項３に記載のディスプレイシステム。
【請求項５】
前記複数の色彩較正のうちの前記１つまたはそれを上回るものは、前記眼位置に最も近い較正位置と関連付けられた色彩較正を備える、請求項１に記載のディスプレイシステム。
【請求項６】
前記補正を計算するために、前記ハードウェアプロセッサは、少なくとも部分的に、前記複数の色彩較正のうちの前記１つまたはそれを上回るもの較正位置および前記判定された眼位置に基づいて、前記複数の色彩較正のうちの前記１つまたはそれを上回るものの間で内挿または外挿するようにプログラムされる、請求項１に記載のディスプレイシステム。
【請求項７】
前記ディスプレイは、前記ユーザの第１の眼と関連付けられた第１のディスプレイと、前記ユーザの第２の眼と関連付けられた第２のディスプレイとを備え、前記ハードウェアプロセッサは、前記第１のディスプレイに対する前記ユーザの眼位置を判定し、前記第２のディスプレイのための補正を計算するために前記判定された眼位置を適用するようにプログラムされる、請求項１に記載のディスプレイシステム。
【請求項８】
前記ディスプレイは、前記ユーザの第１の眼と関連付けられた第１のディスプレイと、前記ユーザの第２の眼と関連付けられた第２のディスプレイとを備え、前記複数の較正の少なくともいくつかは、前記第１のディスプレイおよび前記第２のディスプレイのための平均較正を表す、請求項１に記載のディスプレイシステム。
【請求項９】
前記ディスプレイは、ライトフィールドディスプレイを備える、請求項１に記載のディスプレイシステム。
【請求項１０】
前記ディスプレイは、複数の導波管を備える、スタック可能導波管アセンブリを備え、前記複数のディスプレイ色層におけるあるディスプレイ色層は、前記複数の導波管のうちの少なくとも１つを備える、請求項１に記載のディスプレイシステム。
【請求項１１】
前記ディスプレイは、頭部搭載型ウェアラブルディスプレイシステムとして構成される、請求項１に記載のディスプレイシステム。
【請求項１２】
前記ハードウェアプロセッサは、面内平行移動、回転、スケーリング、もしくはワーピング誤差、または面外もしくは焦点深度誤差のうちの１つまたはそれを上回るものを備える、１つまたはそれを上回る空間不完全度を補正するようにさらにプログラムされる、請求項１に記載のディスプレイシステム。
【請求項１３】
前記複数の色彩較正における各色彩較正は、前記複数のディスプレイ色層の前記２つまたはそれを上回るディスプレイ色層間の輝度の調整を含む、請求項１に記載のディスプレイシステム。
【請求項１４】
ウェアラブルディスプレイを較正するための方法であって、前記方法は、
コンピュータハードウェアによって行われる動的較正システムの制御下で、
前記ディスプレイのユーザに関する眼位置を判定することであって、前記ディスプレイは、複数のディスプレイ色層を備え、前記複数のディスプレイ色層の各ディスプレイ色層は、異なる色を出力するように構成される、ことと、
少なくとも部分的に、前記判定された眼位置に基づいて、前記ディスプレイのための色彩較正にアクセスすることであって、前記色彩較正は、関連付けられた較正位置および前記判定された眼位置に基づいて選択され、前記色彩較正は、前記複数のディスプレイ色層のうちの２つまたはそれを上回るディスプレイ色層間の色彩不整合を含む前記ディスプレイの色彩不完全度を補正するように構成される、ことと、
少なくとも部分的に、前記アクセスされた色彩較正に基づいて、少なくとも部分的に、前記ディスプレイ内の前記色彩不完全度を補正するために前記ディスプレイの前記２つまたはそれを上回るディスプレイ色層のうちの少なくとも１つに適用するための補正を計算することであって、前記補正を計算することは、前記ディスプレイの前記色彩不完全度に対して較正することを含む、ことと、
前記補正を前記ディスプレイの前記２つまたはそれを上回るディスプレイ色層のうちの前記少なくとも１つに適用することと
を含む、方法。
【請求項１５】
前記色彩較正にアクセスすることは、１つまたはそれを上回る色彩較正を複数の色彩較正から選択することを含み、各色彩較正は、前記ディスプレイに対する異なる較正位置と関連付けられる、請求項１４に記載の方法。
【請求項１６】
前記較正位置は、前記ディスプレイにわたってグリッド内に配列される、請求項１５に記載の方法。
【請求項１７】
前記補正を計算することは、前記複数の色彩較正のうちの前記１つまたはそれを上回るものの関連付けられた較正位置および前記判定された眼位置に基づいて、前記複数の色彩較正のうちの前記１つまたはそれを上回るもの間で内挿または外挿することを含む、請求項１５に記載の方法。
【請求項１８】
前記ディスプレイの前記ユーザの眼の画像にアクセスし、少なくとも部分的に、前記眼の画像に基づいて、前記眼位置を判定することをさらに含む、請求項１４に記載の方法。
【請求項１９】
ウェアラブルディスプレイシステムであって、
内向きに面したイメージングシステムと、
複数のディスプレイ色層を備えるディスプレイであって、前記複数のディスプレイ色層の各ディスプレイ色層は、異なる色を出力するように構成される、ディスプレイと、
前記ディスプレイのために、複数の色彩較正を記憶するように構成される、非一過性データ記憶装置であって、前記複数の色彩較正における各色彩較正は、前記ディスプレイに対する較正位置と関連付けられ、前記複数のディスプレイ色層のうちの２つまたはそれを上回るディスプレイ色層間の色彩不整合を含む前記ディスプレイの色彩不完全度を補正するように構成される、非一過性データ記憶装置と、
前記内向きに面したイメージングシステム、前記ディスプレイ、および前記非一過性データ記憶装置と通信する、ハードウェアプロセッサであって、前記ハードウェアプロセッサは、
前記内向きに面したイメージングシステムを使用して、前記ディスプレイのユーザの前記ディスプレイに対する眼位置を判定することと、
少なくとも部分的に、前記判定された眼位置および前記複数の色彩較正のうちの１つまたはそれを上回るものに基づいて、少なくとも部分的に、前記ディスプレイ内の前記色彩不完全度を補正するために前記ディスプレイの前記２つまたはそれを上回るディスプレイ色層のうちの少なくとも１つに適用するための補正を計算することと、
前記補正を前記ディスプレイの前記２つまたはそれを上回るディスプレイ色層のうちの前記少なくとも１つに適用することと
を行うようにプログラムされる、ハードウェアプロセッサと
を備える、ウェアラブルディスプレイシステム。
【請求項２０】
前記ハードウェアプロセッサは、前記眼位置における変化を監視する、フィードバックループを介して、前記補正を適用するようにプログラムされる、請求項１９に記載のウェアラブルディスプレイシステム。
【請求項２１】
前記ハードウェアプロセッサは、前の眼位置に対する前記眼位置における変化を判定し、前記変化が閾値を超える場合、前記補正を計算するようにプログラムされる、請求項１９に記載のウェアラブルディスプレイシステム。
【請求項２２】
前記ハードウェアプロセッサは、面内平行移動、回転、スケーリング、もしくはワーピング誤差、または面外もしくは焦点深度誤差のうちの１つまたはそれを上回るものを備える、空間不完全度を補正するようにさらにプログラムされる、請求項１９−２１のいずれか１項に記載のウェアラブルディスプレイシステム。
【請求項２３】
前記複数の色彩較正における各色彩較正は、前記複数のディスプレイ色層の前記２つまたはそれを上回るディスプレイ色層間の輝度の調整を含む、請求項１９−２１のいずれか１項に記載のウェアラブルディスプレイシステム。
【請求項２４】
前記複数のディスプレイ色層のうちの前記２つまたはそれを上回るディスプレイ色層は、第１の輝度を有する第１の色層と、第２の輝度を有する第２の色層とを備え、前記第１の輝度は、前記第２の輝度を上回り、
前記輝度の調整は、前記第２の輝度の値までの前記第１の輝度の低減を含む、請求項１３に記載のディスプレイシステム。
【請求項２５】
前記複数のディスプレイ色層のうちの前記２つまたはそれを上回るディスプレイ色層は、第１の輝度を有する第１の色層と、第２の輝度を有する第２の色層とを備え、前記第１の輝度は、前記第２の輝度を上回り、
前記輝度の調整は、前記第２の輝度の値までの前記第１の輝度の低減を含む、請求項２３に記載のウェアラブルディスプレイシステム。
【手続補正２】
【補正対象書類名】明細書
【補正対象項目名】０００５
【補正方法】変更
【補正の内容】
【０００５】
本明細書に説明される主題の１つまたはそれを上回る実装の詳細が、付随の図面および以下の説明に記載される。他の特徴、側面、および利点は、説明、図面、および請求項から明白となるであろう。本概要または以下の発明を実施するための形態のいずれも、本発明の主題の範囲を定義または限定することを主張するものではない。
本願明細書は、例えば、以下の項目も提供する。
（項目１）
ディスプレイシステムであって、
眼追跡カメラと、
ディスプレイと、
前記ディスプレイのために、複数の較正を記憶するように構成される、非一過性データ記憶装置であって、前記複数の較正における各較正は、前記ディスプレイに対する較正位置と関連付けられる、非一過性データ記憶装置と、
前記眼追跡カメラ、前記ディスプレイ、および前記非一過性データ記憶装置と通信する、ハードウェアプロセッサであって、
前記眼追跡カメラからの情報に基づいて、前記ディスプレイのユーザの前記ディスプレイに対する眼位置を判定することと、
少なくとも部分的に、前記判定された眼位置に基づいて、前記複数の較正のうちの１つまたはそれを上回るものにアクセスすることと、
少なくとも部分的に、前記複数の較正のうちの１つまたはそれを上回るものに基づいて、少なくとも部分的に、前記ディスプレイ内の不完全度を補正するために前記ディスプレイに適用するための補正を計算することと、
前記補正を前記ディスプレイに適用することと
を行うようにプログラムされる、ハードウェアプロセッサと
を備える、ディスプレイシステム。
（項目２）
較正位置の数は、２、３、４、５、６、７、８、９、またはそれを上回る、項目１に記載のディスプレイシステム。
（項目３）
前記較正位置は、グリッド内で前記ディスプレイにわたって分散される、項目１に記載のディスプレイシステム。
（項目４）
前記グリッドは、２×２、３×３、５×５、または９×９グリッドを備える、項目３に記載のディスプレイシステム。
（項目５）
前記複数の較正のうちの１つまたはそれを上回るものは、前記眼位置に最も近い較正位置と関連付けられた較正を備える、項目１に記載のディスプレイシステム。
（項目６）
前記補正を計算するために、前記ハードウェアプロセッサは、少なくとも部分的に、前記複数の較正のうちの１つまたはそれを上回るもの較正位置および前記判定された眼位置に基づいて、前記複数の較正のうちの１つまたはそれを上回るものの間で内挿または外挿するようにプログラムされる、項目１に記載のディスプレイシステム。
（項目７）
前記ディスプレイは、前記ユーザの第１の眼と関連付けられた第１のディスプレイと、前記ユーザの第２の眼と関連付けられた第２のディスプレイとを備え、前記ハードウェアプロセッサは、前記第１のディスプレイに対する前記ユーザの眼位置を判定し、前記第２のディスプレイのための補正を計算するために前記判定された眼位置を適用するようにプログラムされる、項目１に記載のディスプレイシステム。
（項目８）
前記ディスプレイは、前記ユーザの第１の眼と関連付けられた第１のディスプレイと、前記ユーザの第２の眼と関連付けられた第２のディスプレイとを備え、前記複数の較正の少なくともいくつかは、前記第１のディスプレイおよび前記第２のディスプレイのための平均較正を表す、項目１に記載のディスプレイシステム。
（項目９）
前記ディスプレイは、ライトフィールドディスプレイを備える、項目１に記載のディスプレイシステム。
（項目１０）
前記ディスプレイは、複数の導波管を備える、スタック可能導波管アセンブリを備える、項目１に記載のディスプレイシステム。
（項目１１）
前記ディスプレイは、頭部搭載型ウェアラブルディスプレイシステムとして構成される、項目１に記載のディスプレイシステム。
（項目１２）
前記複数の較正における各較正は、前記ディスプレイの空間不完全度、前記ディスプレイの色彩不完全度、または前記空間不完全度および前記色彩不完全度の両方を補正する、項目１−１１のいずれか１項に記載のディスプレイシステム。
（項目１３）
前記空間不完全度は、面内平行移動、回転、スケーリング、もしくはワーピング誤差、または面外もしくは焦点深度誤差のうちの１つまたはそれを上回るものを備える、項目１２に記載のディスプレイシステム。
（項目１４）
前記色彩不完全度は、前記ディスプレイによって表示可能な色と関連付けられた輝度平坦性または色彩均一性誤差のうちの１つまたはそれを上回るものを備える、項目１２に記載のディスプレイシステム。
（項目１５）
ディスプレイを較正するための方法であって、
コンピュータハードウェアによって行われる動的較正システムの制御下で、
前記ディスプレイのユーザに関する眼位置を判定するステップと、
少なくとも部分的に、前記判定された眼位置に基づいて、前記ディスプレイのための較正にアクセスするステップであって、前記較正は、関連付けられた較正位置および前記判定された眼位置に基づいて選択される、ステップと、
少なくとも部分的に、前記アクセスされた較正に基づいて、少なくとも部分的に、前記ディスプレイ内の不完全度を補正するために前記ディスプレイに適用するための補正を計算するステップと、
前記補正を前記ディスプレイに適用するステップと、
を含む、方法。
（項目１６）
前記較正にアクセスするステップは、１つまたはそれを上回る較正を複数の較正から選択するステップを含み、各較正は、前記ディスプレイに対する異なる較正位置と関連付けられる、項目１５に記載の方法。
（項目１７）
前記較正位置は、前記ディスプレイにわたってグリッド内に配列される、項目１６に記載の方法。
（項目１８）
前記補正を計算するステップは、前記複数の較正のうちの１つまたはそれを上回るものの関連付けられた較正位置および前記判定された眼位置に基づいて、前記複数の較正のうちの１つまたはそれを上回るもの間で内挿または外挿するステップを含む、項目１６に記載の方法。
（項目１９）
前記ディスプレイのユーザの眼の画像にアクセスし、少なくとも部分的に、前記眼の画像に基づいて、前記眼位置を判定するステップをさらに含む、項目１５に記載の方法。
（項目２０）
前記較正を計算するステップは、前記ディスプレイの空間不完全度、前記ディスプレイの色彩不完全度、または前記空間不完全度および前記色彩不完全度の両方を較正するステップを含む、項目１５−１９のいずれか１項に記載の方法。
（項目２１）
ウェアラブルディスプレイシステムであって、
内向きに面したイメージングシステムと、
ディスプレイと、
前記ディスプレイのために、複数の較正を記憶するように構成される、非一過性データ記憶装置であって、前記複数の較正における各較正は、前記ディスプレイに対する較正位置と関連付けられる、非一過性データ記憶装置と、
前記内向きに面したイメージングシステム、前記ディスプレイ、および前記非一過性データ記憶装置と通信する、ハードウェアプロセッサであって、
前記内向きに面したイメージングシステムを使用して、前記ディスプレイのユーザの前記ディスプレイに対する眼位置を判定することと、
少なくとも部分的に、前記判定された眼位置および前記複数の較正のうちの１つまたはそれを上回るものに基づいて、少なくとも部分的に、前記ディスプレイ内の空間不完全度または前記ディスプレイ内の色彩不完全度のうちの１つまたはそれを上回るものを補正するために前記ディスプレイに適用するための補正を計算することと、
前記補正を前記ディスプレイに適用することと
を行うようにプログラムされる、ハードウェアプロセッサと
を備える、ウェアラブルディスプレイシステム。
（項目２２）
前記ハードウェアプロセッサは、前記眼位置における変化を監視する、フィードバックループを介して、前記補正を適用するようにプログラムされる、項目２１に記載のウェアラブルディスプレイシステム。
（項目２３）
前記ハードウェアプロセッサは、前の眼位置に対する前記眼位置における変化を判定し、前記変化が閾値を超える場合、前記補正を計算するようにプログラムされる、項目２１に記載のウェアラブルディスプレイシステム。
（項目２４）
前記空間不完全度は、面内平行移動、回転、スケーリング、もしくはワーピング誤差、または面外もしくは焦点深度誤差のうちの１つまたはそれを上回るものを備える、項目２１−２３のいずれか１項に記載のウェアラブルディスプレイシステム。
（項目２５）
前記色彩不完全度は、前記ディスプレイによって表示可能な色と関連付けられた輝度平坦性または色彩均一性誤差のうちの１つまたはそれを上回るものを備える、項目２１−２３のいずれか１項に記載のウェアラブルディスプレイシステム。